(57)【特許請求の範囲】
【請求項１】
ロトンダに連結される移動式トンネルを冷暖房するためのトンネル冷暖房装置において、
ロトンダに配置される凝縮機と、
前記凝縮機と連結され、前記ロトンダに配置される圧縮機と、
移動式トンネルに配置され、前記凝縮機と圧縮機にそれぞれ連結される蒸発機と、
前記凝縮機と圧縮機のそれぞれに前記蒸発機を連結する連結配管部と、
前記ロトンダの上側に左右回転可能なターンテーブルを含み、前記凝縮機及び圧縮機は前記ターンテーブル上に配置され、前記連結配管部は、前記凝縮機と蒸発機を連結する凝縮機連結配管、及び、前記圧縮機と蒸発機とを連結する圧縮機連結配管を含むことを特徴とするトンネル冷暖房装置。
【請求項２】
前記凝縮機連結配管及び圧縮機連結配管は、フレキシブルなコイル形態であることを特徴とする請求項１に記載のトンネル冷暖房装置。
【請求項３】
前記ターンテーブルは、
前記凝縮機及び圧縮機が配置される回転プレートと、
前記回転プレートが前記移動式トンネルの左右回転と連動されるように、前記回転プレートと前記移動式トンネルの上側とを連結する連結ユニットとを含むことを特徴とする請求項１に記載のトンネル冷暖房装置。
【請求項４】
前記連結ユニットは、
前記移動式トンネルが前記ロトンダと連結される前記移動式トンネルの端部の反対側の端部が前記ロトンダの軸を回転軸にして上下方向に回転する場合、前記連結ユニットが上下方向に曲げ運動が可能になるように多重リンク構造からなることを特徴とする請求項３に記載のトンネル冷暖房装置。
【請求項５】
前記連結ユニットは、
前記ロトンダ及び前記移動式トンネルとそれぞれ連結される連結リンクと、前記それぞれの連結リンクと連結され、前記移動式トンネルが上下方向に曲げ運動する場合、Ｖ字形態で折られるように具備された多重リンク構造からなることを特徴とする請求項４に記載のトンネル冷暖房装置。
【請求項６】
前記蒸発機は、
前記移動式トンネル上に前記ロトンダと隣接して配置されることを特徴とする請求項１に記載のトンネル冷暖房装置。
【請求項７】
搭乗橋の冷暖房システムにおいて、
請求項１に記載のトンネル冷暖房装置と、
前記ロトンダと連結される前記移動式トンネルの端部の反対側の端部に、前記移動式トンネルから長さ方向に拡張可能に連結される拡張トンネルを冷暖房するための拡張トンネル冷暖房装置とを含むことを特徴とする搭乗橋の冷暖房システム。
【請求項８】
前記トンネル冷暖房装置の蒸発機から放出される空気がトンネルダクトを通じて前記移動式トンネルの内部に流入されるように前記トンネルダクトに設けられるトンネルディフューザと、
前記拡張トンネル冷暖房装置の蒸発機から放出される空気が拡張ダクトを通じて前記拡張トンネルの内部に流入されるように前記拡張ダクトに設けられる拡張トンネルディフューザとを含むことを特徴とする請求項７に記載の搭乗橋の冷暖房システム。
【請求項９】
前記拡張トンネルディフューザは、
前記空気が前記拡張トンネルの内部に流入されることを調節するディフューザカバーと、
前記ディフューザカバーが装着され、前記空気が前記拡張トンネルの内部に流入されることができるようにする開口部が形成されたカバー装着部とを含み、
前記ディフューザカバーは前記開口部を開閉するように移動可能であることを特徴とする請求項８に記載の搭乗橋の冷暖房システム。
【請求項１０】
前記ディフューザカバーは、
前記カバー装着部にスライディングされ、前記開口部を開閉することを特徴とする請求項９に記載の搭乗橋の冷暖房システム。
【請求項１１】
前記ディフューザカバーは、
前記拡張トンネルの内部に向けて突き出された突起を含むことを特徴とする請求項１０に記載の搭乗橋の冷暖房システム。
【請求項１２】
前記突起の端部と同一線上に位置し、前記移動式トンネルの外側に突き出されて具備された開閉ユニットを含むことを特徴とする請求項１１に記載の搭乗橋の冷暖房システム。
【請求項１３】
前記開閉ユニットは、
前記移動式トンネルの一部が前記拡張トンネルのスライディング移動によって前記拡張トンネルの内部に位置する場合、前記突起の一側と前記開閉ユニットとが接触され、前記ディフューザカバーをスライディングさせて、前記開口部を閉めて前記空気の流入を遮断させ、前記移動式トンネルが前記拡張トンネルのスライディング移動によって、前記拡張トンネルの外部に位置する場合、前記突起の他の一側と前記開閉ユニットとが接触され、前記ディフューザカバーをスライディングさせて前記開口部を開いて、前記空気を流入させることを特徴とする請求項１２に記載の搭乗橋の冷暖房システム。
【請求項１４】
前記開閉ユニットは、
前記拡張トンネルが前記ロトンダと近くなる方向にスライディングする場合、前記開口部が閉まって、前記拡張トンネルが前記ロトンダと遠くなる方向にスライディングする場合、前記開口部が開かれることを特徴とする請求項１３に記載の搭乗橋の冷暖房システム。
【請求項１５】
前記開閉ユニットは、
前記開口部が完全に閉まって前記ディフューザカバーのスライディングが終わる場合、前記突起と接触された前記開閉ユニットが曲げられ、前記突起を経て前記ディフューザカバーのスライディング方向に続いて移動することができる曲げに対する柔軟性を有することを特徴とする請求項１２に記載の搭乗橋の冷暖房システム。
【請求項１６】
前記移動式トンネル内部に放出される空気が再び前記トンネル冷暖房装置に伝達されるように前記空気を再び回収するトンネル回収用空気吸入口をさらに含むことを特徴とする請求項８に記載の搭乗橋の冷暖房システム。
【請求項１７】
前記拡張トンネル内部に放出される空気が再び前記拡張トンネル冷暖房装置に伝達されるように前記空気を再び回収する拡張トンネル回収用空気吸入口をさらに含むことを特徴とする請求項８に記載の搭乗橋の冷暖房システム。
【請求項１８】
搭乗橋において、
ロトンダと、
前記ロトンダと回転可能になるように連結される移動式トンネルと、
前記移動式トンネルと前記ロトンダとが連結される前記移動式トンネルの端部の反対側の端部に前記移動式トンネルと連結される拡張トンネルとを含み、
前記拡張トンネルは、前記移動式トンネルの一部が前記拡張トンネルの内部に位置するようにスライディング移動が可能であり、前記ロトンダ、前記移動式トンネル、及び前記拡張トンネルには請求項７に記載の搭乗橋の冷暖房システムが設けられることを特徴とする搭乗橋。
【請求項１９】
搭乗橋の冷暖房制御システムにおいて、
請求項７に記載の搭乗橋の冷暖房システムと、
航空機の出発及び到着情報が格納及びアップデートされる運航管理サーバーと、
前記運航管理サーバーから前記出発及び到着情報を受けて、前記搭乗橋の冷暖房システムを制御する搭乗橋の冷暖房装置制御部とを含むことを特徴とする搭乗橋の冷暖房制御システム。
【請求項２０】
前記搭乗橋の冷暖房装置制御部は、
搭乗橋が接舷される航空機の前記出発情報の出発時間または前記到着情報の到着時間より予め設定された時間前に前記トンネル冷暖房装置及び前記拡張トンネル冷暖房装置を稼動させることを特徴とする請求項１９に記載の搭乗橋の冷暖房制御システム。
【請求項２１】
前記搭乗橋の冷暖房装置制御部は、
搭乗橋が接舷される航空機に対する旅客運搬が終わった後、搭乗橋から終了信号を感知して前記トンネル冷暖房装置及び前記拡張トンネル冷暖房装置を稼動中断させることを特徴とする請求項１９に記載の搭乗橋の冷暖房制御システム。
【請求項２２】
前記搭乗橋の冷暖房装置制御部は、
搭乗橋が接舷される航空機の前記出発情報の出発時間または前記到着情報の到着時間から予め設定された時間後に、前記トンネル冷暖房装置及び前記拡張トンネル冷暖房装置を稼動中断させることを特徴とする請求項１９に記載の搭乗橋の冷暖房制御システム。
【請求項２３】
前記搭乗橋の冷暖房装置制御部は、
画面コントローラーを通じて前記運航管理サーバーから前記出発及び到着情報を受けて、前記搭乗橋の冷暖房システムを制御することを特徴とする請求項１９に記載の搭乗橋の冷暖房制御システム。
【請求項２４】
前記搭乗橋の冷暖房システムは、一つの搭乗橋または複数の搭乗橋のそれぞれに適用されることを特徴とする請求項１９に記載の搭乗橋の冷暖房制御システム。
【発明の詳細な説明】
【技術分野】
【０００１】
本願は、搭乗橋のトンネルに適用されるトンネル冷暖房装置、これを含む搭乗橋の冷暖房システム、搭乗橋、及び搭乗橋の冷暖房制御システムに関する。
【背景技術】
【０００２】
搭乗橋は、空港ターミナルにおいて、航空機とターミナルとの間の旅客を移送するための機械装置の形態の橋であって、通常は、ターミナルからロトンダまでは固定トンネルで設置し、ロトンダから航空機までは移動式搭乗橋を設置し、移動式搭乗橋のホイールを利用して航空機の搭乗橋に隣接するように方向転換及び移動することができる。通常、移動式搭乗橋は内トンネルと外トンネルで構成され、外トンネルを移動させて内トンネルを外トンネルの内に入れることで、移動式搭乗橋の長さを調節することができる。
【０００３】
空港ターミナルと航空機内には適当な冷暖房を稼動しているところ、搭乗橋は壁体がガラスにより製作される場合が大抵であり、ロトンダ部位とキャビン上、及び移動式搭乗橋の内トンネルと外トンネルとの間の隙間から外気が流入されることで、適正温度より暑いか寒いので、旅客からの不満が発生している実情である。このような不便を解決するために、搭乗橋に多様な冷暖房装置が設けられている。
【０００４】
従来の搭乗橋の冷暖房装置では、設置位置に制約のない固定トンネルに設置した事例がある。このような搭乗橋の冷暖房装置は、一般建物用パッケージ型冷暖房機を使用しており、風量が弱いため、室内機が設けられた所の下部くらいで冷暖房空気が感じられるだけであり、一日中装備を稼動してもトンネル内部を均一に冷暖房するには不足している。
【０００５】
また、航空機の方の外トンネルの上部に設けられた搭乗橋の冷暖房装置は、搭乗橋が最小に収縮された場合、外トンネルの内部に具備されたディフューザが内トンネルに遮られ、外トンネルの内部に空気が流入されることができない。
【０００６】
また、他の従来の搭乗橋の冷暖房装置では、大韓民国公開特許公報第１０−００６７７０号（２００９年６月２５日）に開示された搭乗橋の冷暖房装置がある。これは、航空機の方の外トンネルの上部に冷暖房装置を設置し、内トンネルのロトンダの方に冷暖房装置を設置した場合である。より具体的に、このような搭乗橋の冷暖房装置は、ロトンダの上部に冷暖房装置を設置して内トンネルの内部に冷暖房空気を伝達するダクトとディフューザを通じて内トンネルの内部に冷暖房空気を伝達し、内トンネルの内部に具備されたダクトの外トンネル側の末端では外トンネルの方向にディフューザを具備し、外トンネルの内部に冷暖房空気を供給する方式で具備される。このような搭乗橋の冷暖房装置は、ダクトが内トンネルの内部のみに設置可能であり、外トンネルに十分な冷気と熱気を伝達することができない。
【０００７】
また、移動式搭乗橋は、ロトンダを中心にして、左右回転と上下回転するところ、このような冷暖房装置は、移動式搭乗橋が回転することによってロトンダの冷暖房装置と内トンネルのダクトとを連結する配管が破損される恐れがあり、冷暖房の供給に相当な制約がある。
【０００８】
また、搭乗橋は、必要に応じてその長さを最大限に収縮するために外トンネルを内トンネルの方に移動させるようになるところ、これにより内トンネルが外トンネルの内部に移動される場合、内トンネルの上部に冷暖房装置を設けるための十分な空間がないという問題点もある。
【先行技術文献】
【特許文献】
【０００９】
【特許文献１】米国特許第４６２０３３９号明細書
【発明の概要】
【発明が解決しようとする課題】
【００１０】
本願は、前述の従来技術の問題点を解決するためのものであって、搭乗橋の内部を充分に冷暖房することができる搭乗橋の冷暖房装置を提供することを目的とする。
【００１１】
また、本願は、移動式搭乗橋が上下または左右に回転する場合にも、搭乗橋の内部の冷暖房を円滑にすることができる搭乗橋の冷暖房装置を提供することを目的とする。
【００１２】
また、本願は、無駄に消耗する空気がないようにして、無駄な電力消耗を防止することを目的とする。
【００１３】
また、本願は、内トンネルに設けられる冷暖房機を最小化することを目的とする。
【００１４】
また、本願は、航空機の運航情報によって必要な時間のみに冷暖房装置が稼動されるようにして、冷暖房の効率を図ることを目的とする。
【課題を解決するための手段】
【００１５】
上記の技術的課題を達成するための技術的手段として、本願の第１の側面によるトンネル冷暖房装置は、ロトンダに配置される凝縮機、凝縮機と連結されてロトンダに配置される圧縮機、移動式トンネルに配置され、凝縮機及び圧縮機とそれぞれ連結される蒸発機、及び凝縮機と蒸発機とを連結する凝縮機連結配管と、圧縮機と蒸発機とを連結する圧縮機連結配管がフレキシブルなコイル形態であるものを含むことができる。
【００１６】
一方、本願の第２の側面による搭乗橋の冷暖房システムは、本願の第１の側面によるトンネル冷暖房装置、及びロトンダと連結される移動式トンネルの端部の反対側端部に移動式トンネルから長さ方向に拡張可能に連結される拡張トンネルを冷暖房するための拡張トンネル冷暖房装置を含むことができる。
【００１７】
一方、本願の第３の側面による搭乗橋は、ロトンダと回転可能になるように連結される移動式トンネル、及び前述の移動式トンネルとロトンダが連結される移動式トンネルの端部の反対側端部に移動式トンネルと連結される拡張トンネルを含み、拡張トンネルと移動式トンネルは本願の第２の側面による搭乗橋の冷暖房システムが適用されることができる。
【００１８】
一方、本願の第４の側面による搭乗橋の冷暖房制御システムは、前述の搭乗橋の冷暖房システム、航空機の出発及び到着情報が格納及びアップデートされる運航管理サーバー、及び運航管理サーバーから航空機の出発及び到着情報を受けて搭乗橋の冷暖房システムを制御する搭乗橋の冷暖房装置制御部を含むことができる。
【発明の効果】
【００１９】
前述の本願の課題解決の手段によれば、凝縮機と圧縮機とのそれぞれを蒸発機と連結する際に、フレキシブルなコイル形態の連結配管を使用し、凝縮機と圧縮機が移動式トンネルの左右回転によって連動されて動くように設置し、トンネルの内部に冷暖房が円滑になるようにすることができる。
【００２０】
また、移動式トンネルに冷暖房機の蒸発機をロトンダの方に設置し、ロトンダの上部に凝縮機及び圧縮機を配置して移動式トンネルに設けられる冷暖房機を最小化することができる。
【００２１】
また、拡張トンネルのディフューザにディフューザカバーが含まれる冷暖房システムを使用して、無駄な電力消耗を防止することができる。
【００２２】
また、航空機の運航情報によって一定時間のみ冷暖房装置が自動に稼動されるようにして冷暖房の効率を図り、冷暖房装置運営の便利性を図ることができる。
【図面の簡単な説明】
【００２３】
【図１】本願の一実施の形態による搭乗橋の冷暖房システムを適用した搭乗橋の平面図である。
【図２】本願の一実施の形態による搭乗橋の冷暖房システムを適用した搭乗橋の側面図である。
【図３ａ】本願の一実施の形態によるトンネル冷暖房装置を設置したロトンダの左右回転によるターンテーブルの作用を説明するために、図２の一部分を拡大した側面図である。
【図３ｂ】本願の一実施の形態によるトンネル冷暖房装置を設置したロトンダの左右回転によるターンテーブルの作用を説明するために、図２の一部分を拡大した側面図である。
【図４ａ】本願の一実施の形態によるトンネル冷暖房装置を設置したロトンダの上下回転による連結ユニットの作用を説明するための拡大正面図である。
【図４ｂ】本願の一実施の形態によるトンネル冷暖房装置を設置したロトンダの上下回転による連結ユニットの作用を説明するための拡大正面図である。
【図５】本願の一実施の形態による搭乗橋の冷暖房システムが適用された拡張トンネルに含まれた拡張ディフューザと移動式トンネルに含まれた開閉ユニットの拡大断面図である。
【図６ａ】ディフューザカバーの開閉方法を説明するための拡大正面図である。
【図６ｂ】ディフューザカバーの開閉方法を説明するための拡大正面図である。
【図７】本願の一実施の形態による搭乗橋の冷暖房制御システムを通じてそれぞれの搭乗橋の冷暖房システムを制御する方法を示す構成図である。
【図８】運航管理サーバーに格納される航空機運航情報の例示を示す図である。
【発明を実施するための形態】
【００２４】
以下では、添付した図面を参照しながら、本願が属する技術分野で通常の知識を持った者が容易に実施できるように本願の実施の形態を詳しく説明する。しかし、本願は様々な相違した形態に具現されることができ、ここで説明する実施の形態に限定されない。さらに、図面において、本願を明確に説明するために、説明と関係ない部分は省略しており、明細書の全体を通じて類似した部分に対しては類似した図面符号を付けた。
【００２５】
本願の明細書の全体において、ある部分が他の部分と「連結」されていると言う場合、これは「直接的に連結」されている場合だけではなく、その中間に他の素子を介して「電気的に連結」されている場合も含む。
【００２６】
本願の明細書の全体において、ある部材が他の部材の「上に」位置していると言う場合、これは、ある部材が他の部材に接している場合だけではなく、両部材の間にまた他の部材が更に存在する場合も含む。
【００２７】
本願の明細書の全体において、ある部分がある構成要素を「含む」という場合、これは、特に反対の記載がない限り、他の構成要素を除くのではなく、他の構成要素をさらに含むことができることを意味する。本願の明細書の全体において使われている程度の用語「約」、「実質的に」などは、言及された意味に固有の製造及び物質許容誤差が提示される場合、その数値で、またはその数値に近接した意味として使われ、本願の理解を助けるために、適確であるか絶対的な数値が言及された開示内容を非良心的な侵害者が不当に用いることを防止するために使われている。本願の明細書の全体において使われている程度の用語「〜（する）段階」または「〜の段階」は、「〜のための段階」を意味していない。
【００２８】
本願の明細書の全体において、マーカッシュ形式の表現に含まれた用語「これらの組み合わせ」は、マクシ形式の表現に記載された構成要素からなる群から選択される一つ以上の混合または組み合わせを意味するものであって、前記構成要素からなる群から選択される一つ以上を含むことを意味している。
【００２９】
本願は、ロトンダに連結される移動式トンネルを冷暖房するためのトンネル冷暖房装置、これを含む搭乗橋の冷暖房システム及び搭乗橋に関するものである。
【００３０】
まず、本願の一実施の形態によるトンネル冷暖房装置（以下、「本トンネル冷暖房装置」という。）について説明する。
【００３１】
前記トンネル冷暖房装置は、凝縮機５２を含む。
【００３２】
本願に使われる凝縮機５２は、通常使われているものであり、後述する圧縮機５３から送ってきた高温高圧の冷媒を凝縮液化する装置である。本願に使われる凝縮機５２は、ロトンダ１２０に配置されることができる。例示的に、図１または図２を参照すれば、ロトンダ１２０の上側に配置されることができるが、これに限定されるものではない。
【００３３】
前記トンネル冷暖房装置は、圧縮機５３を含む。
【００３４】
本願に使われる圧縮機５２は、通常使われているものであり、低い圧力の冷媒を高い圧力の冷媒に変え、また凝縮機に伝達する装置である。図１または図２を参照すれば、圧縮機５３は凝縮機５２と連結され、ロトンダ１２０に配置されることができる。
【００３５】
前記トンネル冷暖房装置５は、蒸発機５１を含む。
【００３６】
本願に使われる蒸発機５１は、通常使われているものであり、凝縮機５２から液体の伝達を受け、気体を作る過程で周辺の熱を吸収し、周辺の温度を急激に低める装置である。図１または図２を参照すれば、蒸発機５１はロトンダ１２０に隣接して移動式トンネル１３０上に配置されることができる。
【００３７】
トンネル冷暖房装置がロトンダ１２０と移動式トンネル１３０に分けて設けられる理由は、次のようである。航空機の搭乗口と固定トンネル１１０との距離が遠くない場合、搭乗橋の全長を短くしなければならない。この際、搭乗橋の長さの調節は、後述する拡張トンネル１５０によって行われる。拡張トンネル１５０は、下部にホイールが付いており、移動が可能である。よって、搭乗橋の長さを短くしなければならない場合、拡張トンネル１５０がスライディング移動し、移動式トンネル１３０が拡張トンネル１５０の内部に入って来るようにする。
【００３８】
この場合、移動式トンネル１３０の一部は拡張トンネル１５０の内部に位置し、一部は拡張トンネル１５０の外部に位置する。図５を参照すれば、拡張トンネル１５０の内部に位置する移動式トンネル１３０の上側には冷暖房装置を設ける空間がない。また、移動式トンネル１３０の上側に冷暖房装置を設ける空間を設けるために拡張トンネル１５０の高さを高くする場合、拡張トンネル１５０の内部空間が広くなり、後述する拡張トンネル冷暖房装置によって拡張トンネル１５０の内部を充分に冷暖房することができなくなる。
【００３９】
すなわち、拡張トンネル１５０の外部に位置する移動式トンネル１３０の一部の上側のみに冷暖房装置を設ける空間が設けられる。しかし、この空間も蒸発機５１、凝縮機５２、及び圧縮機５３を全部設けるには狭小である。よって、蒸発機５１と凝縮機５２、及び圧縮機５３をロトンダ１２０と移動式トンネル１３０に分けて、蒸発機５１は移動式トンネル１３０上に、圧縮機５３と凝縮機５２はロトンダ上に設けることができる。
【００４０】
前記トンネル冷暖房装置５は、連結配管部５７を含む。
【００４１】
連結配管部５７は、凝縮機５２と蒸発機５１とを連結する凝縮機連結配管５７１と、圧縮機５３と蒸発機５１とを連結する圧縮機連結配管５７３と、を含むことができる。
【００４２】
凝縮機連結配管５７１と圧縮機連結配管５７３は、フレキシブルなコイル形態であることができる。
【００４３】
移動式トンネル１３０は航空機と高さが違う場合、航空機の入口と連結されるように、ロトンダ１２０に対して上下に回転が可能である（図４ａ及び図４ｂを参照）。移動式トンネル１３０が上下に回転する際、蒸発機５１と圧縮機５３、及び蒸発機５１と凝縮機５２の間の距離と高さが変更されるので、このように変動性のある距離と高さに対して配管が維持されるためには、凝縮機連結配管５７１と圧縮機連結配管５７３はフレキシブルな配管に具備されることが望ましい。
【００４４】
また、例示的に、図３及び図４を参照すれば、凝縮機連結配管５７１と圧縮機連結配管５７３は、コイル形態で設けられ、移動式トンネル１３０の距離と高さの変化にも連結配管部５７の加工硬化による変形を最小化することができる。コイル形態は例示的に連結配管が回転しながら巻かれるバネ形態であることができる（図４ａ及び図４ｂを参照）。
【００４５】
前記トンネル冷暖房装置５は、ターンテーブル７０を含むことができる。
【００４６】
ターンテーブル７０は、通常、下部は固定され、上部は回転可能になるように具備されるテーブルであり、ターンテーブル７０の上部に対象を設置し、所望の方向に回転が可能になるようにする。例示的に、図１〜図３に示すように、ターンテーブル７０はロトンダ１２０上に設けられることができる。
【００４７】
ターンテーブル７０は、移動式トンネル１３０の左右回転による冷暖房装置に含まれた連結配管部５７の破損を阻むためのものであり、詳しい内容は後述する。
【００４８】
また、凝縮機５２及び圧縮機５３は、ターンテーブル７０上に配置されることができる。
【００４９】
凝縮機５２及び圧縮機５３は、ロトンダ１２０の上部に位置し、移動式トンネル１３０の上部に位置する蒸発機５１とそれぞれ配管で連結される。この際、移動式トンネル１３０は航空機の扉と連結されるために、ロトンダを回転軸にして左右に所定の角度だけ回転する。ここで、左右に回転するということは、地面に対して大略的に鉛直である回転軸を中心にして回転するということを意味する（図３ａ及び図３ｂを参照）。移動式トンネル１３０が左右に回転する際、蒸発機５１は移動式トンネル１３０に沿って左右に共に回転する。凝縮機５２及び圧縮機５３は、ロトンダの上部に固定されており、蒸発機５１の回転によって共に回転されないが、移動式トンネル１３０が左右に大きく回転される場合、蒸発機５１と連結された配管が破損されることがあり得る。
【００５０】
このような配管の破損を阻むために、図１〜図３に示すように、ロトンダ１２０の上部にターンテーブル７０を設置し、ターンテーブル７０上に凝縮機５２及び圧縮機５３を設けることができる。この場合、移動式トンネル１３０の左右回転によって凝縮機５２及び圧縮機５３も蒸発機５１と共に回転することができ、前述した配管の破損を阻むことができる。
【００５１】
また、ターンテーブル７０は、回転プレートを含むことができ、凝縮機５２及び圧縮機５３は回転プレート上に配置されることができる。
【００５２】
ターンテーブル７０は、様々な形態を有することができるが、望ましくは、固定プレートと回転プレートを含むことができ、このような二つのプレートの間にベアリングを挿入した構造を有することができる。このような形態のターンテーブル７０は回転時に摩擦力がほとんど発生されないという利点がある。この場合、固定プレートはロトンダ１２０の上部に強く固定して回転されないようにし、回転プレートト上に凝縮機５２及び圧縮機５３を強く固定してロトンダ１２０の左右回転によって蒸発機５１と共に凝縮機５２及び圧縮機５３も左右に回転されるようにすることができる。
【００５３】
また、ターンテーブル７０は、回転プレートが移動式トンネル１３０の左右回転と連動されるように移動式トンネルの上側と連結される連結ユニット７１を含むことができる。
【００５４】
図３に示すように、連結ユニット７１は、移動式トンネル１３０が左右回転する際、ターンテーブル７０を移動式トンネル１３０と同じ角度で回転するようにする役割をする。すなわち、移動式トンネル１３０に設けられた蒸発機５１と、ロトンダ１２０に設けられた凝縮機５２及び圧縮機５３が同じ角度で回転するようにし、凝縮機連結配管５７１と圧縮機連結配管５７３が破損されないようにする。
【００５５】
連結ユニット７１は、移動式トンネル１３０がロトンダ１２０と連結される移動式トンネル１３０の端部の反対側端部がロトンダ１２０の軸を回転軸にして上下方向に回転する場合、連結ユニット７１が上下方向に曲げ運動が可能になるように多重リンク構造からなることができる。
【００５６】
図４に示すように、移動式トンネル１３０は、ロトンダ１２０を回転軸にして所定の角度だけ上下方向に回転する。これは航空機の扉と移動式トンネル１３０が互いに連結されるためのものである。この際、移動式トンネル１３０が上下方向に回転する際、連結ユニット７１が上下方向に作用する荷重によって変形または破損されることがあり得る。これを防止するために、図４を参照すれば、連結ユニット７１は上下方向に曲げ運動が可能になるように多重リンク構造からなることができる。
【００５７】
また、連結ユニット７１は、ロトンダ１２０及び移動式トンネル１３０とそれぞれ連結される連結リンク７１１及びそれぞれの連結リンク７１１と連結され、連結ユニット７１が上下方向に曲げ運動する場合、Ｖ字形態で折られるように具備された多重リンク構造からなることができる。
【００５８】
例示的に、連結ユニット７１は、図４に示すように、ロトンダ１２０と移動式トンネル１３０にそれぞれ連結される連結リンク７１１を含み、それぞれの連結リンク７１１の間に３個のヒンジ７１４と２個のリンク７１３を含むことができる。
【００５９】
図４ａを参照すれば、移動式トンネル１３０が上に回転する場合、連結ユニット７１は最も中央に位置したヒンジ７１４を基準にして細くなって角が小さくなり、Ｖ字形態で折れることができる。
【００６０】
また、図４ｂを参照すれば、移動式トンネル１３０が下に回転する場合、連結ユニット７１は、リンク７１３が中央に位置したヒンジ７１４を基準にして広くなって角が大きくなり、ほぼ一直線になるように広がることができる。
【００６１】
望ましくは、連結ユニット７１は、移動式トンネル１３０が下に最大に下がった時、二つの連結リンク７１１に付着されたヒンジ７１４を連結する仮想の直線より中央に位置したヒンジ７１４が上方に位置するようにリンク７１３の長さを確保することができる。これは、移動式トンネル１３０が最下部に位置してから上部に回転する際、中央に位置したヒンジ７１４が下部に下って、リンク７１３により移動式トンネル１３０を破損させる恐れがあるためである。
【００６２】
前記トンネル冷暖房装置５は、トンネルディフューザ５５を含むことができる。
【００６３】
トンネルディフューザ５５は、蒸発機５１から放出される空気を移動式トンネル１３０の内部に出す役割をする。
【００６４】
トンネルディフューザ５５は、蒸発機５１から放出され、トンネルダクト５４を通じて移動される空気を移動式トンネル１３０の内部に流入させる。望ましくは、図１に示すように、トンネルダクト５４は、移動式トンネル１３０の上部の左右角に設けられることができる。トンネルダクト５４が、図１に示すように設けられる場合、両方から冷暖房空気が流入されるので、さらに効率的に冷暖房することができる。
【００６５】
トンネルディフューザ５５はトンネルダクト５４に間隔を置いて具備されることができる。望ましくは、図１または図２を参照すれば、トンネルディフューザ５５は、放出される空気が可能な限り効率的に冷暖房できる距離だけ間隔を置いて具備されることができる。
【００６６】
一方、未図示ではあるが、本トンネル冷暖房装置は、暖房装置をさらに含むことができる。
【００６７】
例示的に、暖房装置は、ヒットポンプの原理による暖房装置であることができる。ヒットポンプの原理による暖房装置は、前述の本願で凝縮機５２と蒸発機５１の位置を変えて具現されることができる。より具体的に、ターンテーブル７０上に蒸発機５１が設けられ、移動式トンネル１３０上に凝縮機５２が設けられることができる。この場合、凝縮機５２と蒸発機５１とを連結する配管と、凝縮機５２と圧縮機５３とを連結する配管を、フレキシブルなコイル形態で具備し、移動式トンネル１３０の回転による配管の破損を防止することができる。
【００６８】
一方、他の例として、暖房装置は、電気ヒーター装置であることができる。また、電気ヒーター装置も、規模及び必要に応じて、一部はターンテーブル７０に配置し、残りは移動式トンネル１３０に分離配置して暖房装置として使うことができる。例示的に、電気ヒーター装置の規模が小さくて、移動式トンネルに全ての設置が可能な場合、蒸発機５１と隣接して具備されるように配置することができる。但し、電気ヒーター装置の規模が大きい場合、空気の出る装置は、ターンテーブル７０上の凝縮機５２または圧縮機５３の横に配置し、残りは移動式トンネル１３０上の蒸発機５１の横に配置し、分離された装置の間にフレキシブルなコイル形態の連結配管を使って互いに連結させることができる。
【００６９】
また、他の例として、暖房装置は、加熱温水装置であることができる。加熱温水装置も、前述の方式と同様に、規模及び必要に応じて分離配置されることができる。例示的に、加熱温水装置の規模が大きい場合、温水を加熱する装置は、ターンテーブル７０上の凝縮機５２または圧縮機５３の横に配置し、温水を供給する装置は、移動式トンネル１３０上の蒸発機５１の横に配置し、分離された装置の間にフレキシブルなコイル形態の連結配管を使って互いに連結させることができる。
【００７０】
一方、本願の一実施の形態による搭乗橋の冷暖房システム（以下、「本搭乗橋の冷暖房システム」という。）４０について説明する。但し、前述の本願の一実施の形態によるトンネル冷暖房装置で説明した構成と同一または類似した構成に対しては同じ図面符号を付け、重複した説明は簡略にし、又は省略する。
【００７１】
本搭乗橋の冷暖房システム４０は、本トンネル冷暖房装置を含む。
【００７２】
前述のように、トンネル冷暖房装置は、移動式トンネル１３０の冷暖房のために設けられる。
【００７３】
本搭乗橋の冷暖房システム４０は、拡張トンネル冷暖房装置を含む。
【００７４】
拡張トンネル冷暖房装置は、図１及び図２に示すように、拡張トンネル１５０上に設けられ、航空機搭乗口の近くに設けられる。拡張トンネル１５０は移動式トンネル１３０とは違って、冷暖房装置の設置に制約がない。これは移動式トンネル１３０の一部のみが搭乗橋の全長を調節する際、拡張トンネル１５０の内部に入って行くためである。よって、移動式トンネル１３０の一部が拡張トンネル１５０の内部に入って行く場合、移動式トンネル１３０の上側には冷暖房装置を設けるための十分な空間が確保されない。しかし、これと違って、拡張トンネル１５０は、他のトンネルの内部に入らないため、上側に冷暖房装置を設ける十分な空間がある。
【００７５】
また、ロトンダ１２０と移動式トンネル１３０にかけて設けられたトンネル冷暖房装置が存在し、移動式トンネル１３０と、移動式トンネル１３０と連結される拡張トンネル１５０の一部までは充分にトンネル冷暖房装置で冷暖房されることができる。よって、図２に示すように、拡張トンネル冷暖房装置は、これと最大限に遠く離れて設けられることが望ましい。しかし、これは例示に過ぎず、拡張トンネル冷暖房装置が図２に示す位置のみに設けられる必要はない。
【００７６】
拡張トンネル冷暖房装置は、移動式トンネル１３０がロトンダ１２０と連結される移動式トンネル１３０の端部の反対側の端部に、移動式トンネル１３０の長さ方向に拡張可能に連結される拡張トンネル１５０を冷暖房するためのものである。
【００７７】
拡張トンネル１５０は、図２に示すように、高さが移動式トンネル１３０より高く形成されることができ、下端にホイールが設けられて移動が可能である。よって、航空機の搭乗口をロトンダ１２０と連結する際、適切に移動して設けることができる。
【００７８】
また、拡張トンネル１５０は、搭乗橋の長さを調節することができる。拡張トンネル１５０がスライディング移動して移動式トンネル１３０の一部を拡張トンネル１５０の内部に入って来るようにすることで、搭乗橋の長さを調節する。
【００７９】
拡張トンネル冷暖房装置は、拡張トンネルディフューザ７７を含むことができる。
【００８０】
拡張トンネルディフューザ７７は、拡張トンネル冷暖房装置の蒸発機から放出される空気を拡張トンネル１５０の内部に出すためのものである。拡張トンネルディフューザ７７は、拡張トンネル冷暖房装置に含まれた蒸発機と連結された拡張ダクト７４に具備される。
【００８１】
拡張トンネルディフューザ７７は、空気が拡張トンネル１５０の内部に出入りすることを調節するディフューザカバー７７１を含むことができる。
【００８２】
ディフューザカバー７７１は、拡張トンネルディフューザ７７から拡張トンネル１５０の内部に流入される空気の出入りを調節することができる。すなわち、冷暖房を希望する時には空気が流入されるようにし、冷暖房を希望しない時には空気の流入を遮断することができる。
【００８３】
ディフューザカバー７７１は、図５及び図６を参照すれば、拡張ダクト７４に具備されることが望ましい。
【００８４】
ディフューザカバー７７１は、開口部７７５を開閉するように移動されることができる。
【００８５】
また、拡張トンネルディフューザ７７は、ディフューザカバー７７１が装着され、空気が拡張トンネル１５０の内部に入って行くようにする開口部７７５が形成されたカバー装着部７７３を含むことができる。図５及び図６を参照すれば、ディフューザカバー７７１は、カバー装着部７７３にスライディングされて開口部７７５を開閉することができる。
【００８６】
カバー装着部７７３は、ディフューザカバー７７１がスライディング移動する際、スライディング方向がずれないようにディフューザカバー７７１の方向を固定しなければならない。また、ディフューザカバー７７１が円滑にスライディングされるように形成されなければならない。例示的に、カバー装着部７７３はレール形態を有することができる。
【００８７】
カバー装着部７７３に具備された開口部７７５は、拡張ダクト７４によって移動された空気が拡張トンネル１５０の内部を充分に冷暖房させるように適切なサイズを有することができる。
【００８８】
図６を参照すれば、ディフューザカバー７７１は、開口部７７５を閉めることができるように、少なくとも開口部７７５のサイズより大きく形成されることができる。
【００８９】
また、ディフューザカバー７７１は、拡張トンネル１５０の内部に向けて突き出された突起７７７を含むことができる。
【００９０】
突起７７７は、後述する開閉ユニット９０と接触してディフューザカバー７７１のスライディング運動を助ける。図５及び図６に示すように、突起７７７はディフューザカバー７７１の末端のうち、開口部が形成された方の末端から突き出されることが望ましいが、これに限定されるものではない。
【００９１】
例示的に、突起７７７は、ディフューザカバー７７１を移動させるために、下部に適正の長さに突き出された形態であることができる。
【００９２】
本搭乗橋の冷暖房システム４０は、開閉ユニット９０を含むことができる。
【００９３】
拡張トンネル１５０が移動式トンネル１３０の外部に、すなわち、ロトンダ１２０の方に移動して搭乗橋が収縮されるが、この際、移動式トンネル１３０と拡張トンネル１５０とが重なる部分の拡張トンネルディフューザ７７を閉鎖し、外気として放出される冷暖房空気の流出を阻んでエネルギーを節約する必要がある。
【００９４】
開閉ユニット９０は、拡張トンネルディフューザ７７を閉鎖するために、ディフューザカバー７７１に形成された突起７７７を押して、開口部７７５を閉める役割をする。
【００９５】
開閉ユニット９０は、突起７７７と同一線上に位置し、移動式トンネル１３０の外側に突き出されて具備されることができる。図５及び図６に示すように、開閉ユニット９０は突起７７７と接触してディフューザカバー７７１がスライディングされるように同一線上に位置することが望ましい。
【００９６】
また、図６に示すように、開閉ユニット９０は、移動式トンネル１３０の外側に具備され、突起７７７と接触されるように移動式トンネル１３０の外側の上部に突き出されて具備されることが望ましい。
【００９７】
また、開閉ユニット９０は、移動式トンネル１３０の一部が拡張トンネル１５０のスライディング移動によって拡張トンネル１５０の内部に位置する場合、突起７７７の一側と開閉ユニット９０とが接触され、ディフューザカバー７７１をスライディングさせて開口部７７５を閉め、空気の出入りを遮断させることができる。すなわち、図６ａを参照すれば、開閉ユニット９０は、移動式トンネルの端部の方に位置し、開閉ユニット９０が突起７７７よりロトンダ１２０の方に位置する場合、開口部７７５が開かれるようになる。突起７７７が開閉ユニット９０よりロトンダ１２０の方に位置する場合、開口部７７５が閉まることができる。
【００９８】
また、開閉ユニット９０は、移動式トンネル１３０が拡張トンネル１５０のスライディング移動によって拡張トンネル１５０の外部に位置する場合、突起７７７の他の一側と開閉ユニット９０とが接触され、ディフューザカバー７７１をスライディングさせて開口部７７５を開いて、空気を出入りさせることができる。すなわち、図６ｂを参照すれば、突起７７７が開閉ユニット９０よりロトンダ１２０の方に位置する場合、開口部７７５が閉まることができる。
【００９９】
また、開閉ユニット９０は、開口部７７５が完全に閉まってディフューザカバー７７１のスライディングが終わる場合、突起７７７と接触された開閉ユニット９０が曲げられ、突起７７７を経てディフューザカバー７７１のスライディング方向に続いて移動することができる曲げに対する柔軟性を有することができる。
【０１００】
開閉ユニット９０の材質は柔軟性があり、ディフューザカバー７７１が完全に閉まる位置に至るか、完全に開かれる位置に至っても、拡張トンネル１５０が引き続きスライディングすることによって破損されず、自然に曲げられ進行方向に続いて移動することが望ましい。すなわち、ディフューザカバー７７１が閉まる場合、または開かれる場合に、拡張トンネル１５０が移動する方向とは反対の方向に続いて移動するように具備されることができる。
【０１０１】
開閉ユニット９０は、望ましくはプラスチックブラシを付着し、ブラシは一定の間隔を置いて複数個を設置し、ディフューザカバー７７１が完全に閉まるか開かれない場合に、再び完全に閉まるか開かれるようにすることができる。
【０１０２】
トンネルディフューザ５５または拡張トンネルディフューザ７７から放出された冷暖房空気は、移動式トンネル１３０と拡張トンネル１５０の内部を冷暖房し、またトンネル回収用空気吸入口または拡張トンネル回収用空気吸入口を通じて蒸発機に流入されることができる。
【０１０３】
例示的に、トンネル回収用空気吸入口または拡張トンネル回収用空気吸入口は、トンネル冷暖房装置の蒸発機５１または拡張トンネル冷暖房装置の蒸発機の中央部に設けられることができる。蒸発機に流入された空気は、蒸発機コイルを通過して、再び蒸発機出口に出て、トンネルダクト５４または拡張ダクト７４を通じて伝達され、トンネルの内部に放出される。
【０１０４】
一方、本願の一実施の形態による搭乗橋（以下、「本搭乗橋」という。）について説明する。
【０１０５】
前記搭乗橋は、ロトンダ１２０を含み、ロトンダ１２０と回転可能になるように連結される移動式トンネル１３０を含む。本搭乗橋は、移動式トンネル１３０とロトンダ１２０  とが連結される移動式トンネル１３０の端部の反対側の端部に、移動式トンネル１３０と連結される拡張トンネル１５０を含む。この際、拡張トンネル１５０は、移動式トンネル１３０の一部が拡張トンネル１５０の内部に位置するようにスライディング移動することができる。
【０１０６】
この際、移動式トンネル１３０と拡張トンネル１５０には、本搭乗橋の冷暖房システム４０が適用されることができる。
【０１０７】
本搭乗橋に適用される搭乗橋の冷暖房システム４０のトンネル冷暖房装置及び拡張トンネル冷暖房装置は、従来に適用された建物用冷暖房装置より大きい規模（高出力）の冷暖房装置が適用されることができる。
【０１０８】
前記搭乗橋には、ロトンダ１２０と移動式トンネル１３０に冷暖房装置を分離して配置することができるので、従来の搭乗橋の冷暖房装置より大きい規模の冷暖房装置が適用されることができる。すなわち、大きい規模の冷暖房装置を分けて、一部装置はロトンダ１２０に、残りの装置は移動式トンネル１３０に分離して配置することができる。
【０１０９】
前述したように、従来の搭乗橋の冷暖房装置がロトンダ１２０と移動式トンネル１３０に分離して配置される場合、移動式トンネルの回転によってロトンダ１２０に設けられた一部の冷暖房装置が共に回転されることができなかった。よって、ロトンダ１２０と移動式トンネル１３０のそれぞれに設けられた冷暖房装置を連結する配管が移動式トンネル１３０の回転によって破損される恐れがある。
【０１１０】
しかし、前記搭乗橋に適用される搭乗橋の冷暖房装置は、連結配管がフレキシブルなコイル形態を有するので、移動式トンネル１３０の回転によって破損される恐れがない。また、ロトンダ１２０にターンテーブル７０を設置して、移動式トンネル１３０の回転によってロトンダ１２０に設けられた一部の冷暖房装置も共に回転されるようにして、大きい規模の冷暖房装置を分離配置することに制約がない。
【０１１１】
例示的に、前述の大きい規模の冷暖房装置として、バスに使われる冷暖房装置が適用されることができる。
【０１１２】
既存の移動式トンネルに使われる冷暖房装置は、建物用冷暖房装置を使った。建物用冷暖房装置は、少ない在室人員に合わせて製作され、長くて在室人員の多い移動式トンネルに適用する場合、風量が少ないため、冷暖房が充分に供給されることができなかった。
【０１１３】
バスと移動式トンネル１３０は、幅及び広さ等の内部空間の規模が多少類似している。このようなバスに使われる冷暖房装置は、在室人員が多いにもかかわらず、十分な風量で冷暖房を供給することができる。よって、これと類似した内部空間を有する移動式トンネル１３０にも、バスに使われる冷暖房装置を適用することができる。
【０１１４】
一方、本願の一実施の形態による搭乗橋の冷暖房制御システム（以下、「本搭乗橋の冷暖房制御システム」という。）について説明する。
【０１１５】
本搭乗橋の冷暖房制御システムは、前記搭乗橋の冷暖房システム５０を含む。
【０１１６】
搭乗橋の冷暖房システム５０は、一つの搭乗橋または複数の搭乗橋のそれぞれに適用されることができる。
【０１１７】
本搭乗橋の冷暖房制御システムは、運航管理サーバー１０を含む。
【０１１８】
運航管理サーバー１０には航空機の到着または出発スケジュール、すなわち、航空機の運航情報が格納されている。このような航空機の運航情報は、空港総合通信ネットワーク（未図示）に伝達されて共有されることができる。
【０１１９】
図７を参照すれば、スケジュール管理者１００は、航空機運航情報のリアルタイムで変更される正確な情報を運航管理サーバー１０に入力して、運航管理サーバー１０の航空機の運航情報をリアルタイムでアップデートすることができる。
【０１２０】
運航管理サーバー１０は、後述する画面コントローラー２０または搭乗橋の冷暖房装置制御部３０に航空機の運航情報を伝達することができる。
【０１２１】
本搭乗橋の冷暖房制御システムは、搭乗橋の冷暖房装置制御部３０を含む。
【０１２２】
搭乗橋の冷暖房装置制御部３０は、搭乗橋が接舷される航空機の出発情報の出発時間または到着情報の到着時間より予め設定された時間前に、トンネル冷暖房装置及び拡張トンネル冷暖房装置を稼動させることができる。
【０１２３】
本搭乗橋の冷暖房制御システムは、トンネル冷暖房装置及び拡張トンネル冷暖房装置を常に稼動するのではなく、旅客が利用する適正時間だけ予め稼動するようにすることができる。この際、旅客が搭乗橋を利用する時間は、一般的に航空機の出発時間の以前、または到着時間の以後であるはずなので、この時間の間のみにトンネル冷暖房装置及び拡張トンネル冷暖房装置を稼動することができる。
【０１２４】
よって、搭乗橋の冷暖房装置制御部３０は、航空機の出発時間または到着時間から一定時間前にトンネル冷暖房装置及び拡張トンネル冷暖房装置が稼動されるように予め時間を設定しておき、予め設定された時間になれば、トンネル冷暖房装置及び拡張トンネル冷暖房装置が稼動されるようにする。
【０１２５】
例示的に、予め設定された時間は、搭乗橋の長さとトンネル冷暖房装置及び拡張トンネル冷暖房装置の用量、外気温度などによって設定されるトンネル冷暖房装置及び拡張トンネル冷暖房装置の稼動時間に比べた適正温度到達時間の平均値を取得し、外気温度別の適正装備稼動時間をデータに算出して定めることができる。
【０１２６】
図７を参照すれば、搭乗橋の冷暖房装置制御部３０は、画面コントローラー２０または運航管理サーバー１０から該当の搭乗橋が接舷される航空機の運航情報を受けることができる。
【０１２７】
つまり、搭乗橋の冷暖房装置制御部３０は、運航管理サーバー１０から該当の搭乗橋が接舷される航空機の出発時間または到着時間を受け、これから予め設定された時間になれば、それぞれの搭乗橋の冷暖房システム４０を制御して、トンネル冷暖房装置及び拡張トンネル冷暖房装置を稼動させることができる。
【０１２８】
または、搭乗橋の冷暖房装置制御部３０は、後述する画面コントローラー２０から該当の搭乗橋が接舷される航空機の出発時間または到着時間を受け、これから予め設定された時間になれば、それぞれの搭乗橋の冷暖房システム４０を制御してトンネル冷暖房装置及び拡張トンネル冷暖房装置を稼動させることができる。
【０１２９】
搭乗橋の冷暖房装置制御部３０は、搭乗橋が接舷される航空機に対する旅客運搬が終わった後、搭乗橋から終了信号を感知し、トンネル冷暖房装置及び拡張トンネル冷暖房装置を稼動中断させることができる。
【０１３０】
例示的に、終了信号は、図７に示すように、搭乗橋管理者３００によって搭乗橋の冷暖房装置制御部３０に伝達され、搭乗橋の冷暖房システム４０を制御することができる。搭乗橋管理者３００は、搭乗橋の運転を監視及び制御することができると同時に、各搭乗橋の搭乗橋の冷暖房システムに含まれたトンネル冷暖房装置及び拡張トンネル冷暖房装置を監視及び制御することができる。
【０１３１】
または、終了信号は、図７に示すように、後述する画面コントローラー２０によって搭乗橋の冷暖房装置制御部３０に伝達され、搭乗橋の冷暖房システム４０を制御することができる。
【０１３２】
また、搭乗橋の冷暖房装置制御部３０は、搭乗橋が接舷される航空機の出発情報の出発時間または到着情報の到着時間から予め設定された時間後にトンネル冷暖房装置及び拡張トンネル冷暖房装置を稼動中断させることができる。
【０１３３】
航空機の場合、旅客下機時間が航空機の規模別に異なるが、望ましくは、搭乗橋が航空機に接舷完了した後、１０〜１５分が経った後、トンネル冷暖房装置及び拡張トンネル冷暖房装置の稼動を中断させることができる。
【０１３４】
さらに、トンネル冷暖房装置及び拡張トンネル冷暖房装置は、搭乗橋管理者３００によって手動により稼動が中止されることができ、旅客が航空機に搭乗完了した後、該当の搭乗橋が航空機から離舷された後、稼動中止信号を受けて自動に稼動が中止されることもできる。
【０１３５】
また、搭乗橋の冷暖房装置制御部３０は、画面コントローラー２０を通じて運航管理サーバー１０から出発及び到着情報を受けて、搭乗橋の冷暖房システム４０を制御することができる。
【０１３６】
画面コントローラー２０は、運航管理サーバー１０から航空機の運航情報を受けて、案内しようとする情報を種類別または位置別に、各特性に合うデザインに表示することができる。
【０１３７】
例示的に、画面コントローラー２０は、図７に示すように、ＦＩＤＳを制御することがで  きる。ＦＩＤＳは、航空機の出発または到着を総合的に案内する情報を表示する役割をする。
【０１３８】
また、画面コントローラー２０は、図７に示すように、ＧＩＤＳを制御することができる。ＧＩＤＳは、航空機が出発または到着するゲートに対する情報を表示する役割をする。
【０１３９】
図７を参照すれば、画面コントローラー２０は、運航管理サーバー１０から航空機の出発時間または到着時間に関する情報の伝達を受けて航空機の運航情報を案内し、運航管理サーバー１０から伝達を受けた航空機の出発時間または到着時間に関する情報を、また搭乗橋の冷暖房装置制御部３０に伝達して、搭乗橋の冷暖房システム４０を制御することができる。
【０１４０】
前述した本発明の説明は例示のためのものであり、本発明が属する技術分野の通常の知識を持った者であれば、本発明の技術的な思想や必須的な特徴を変更しなくても他の具体的な形態へと容易に変形可能であるということが理解できるだろう。よって、以上で記述した実施の形態は、全ての面において例示的なものであり、限定的なものではないことと理解すべきである。例えば、単一型に説明されている各構成要素は分散して実施されることができると共に、これと同様に、分散したものと説明されている構成要素も結合された形態に実施されることができる。
【０１４１】
本発明の範囲は、上記の詳細な説明よりは、後述する特許請求の範囲によって示され、特許請求の範囲の意味及び範囲、さらに、その均等概念から導出される全ての変更または変形された形態が本発明の範囲に含まれるものと解釈されるべきである。
【図１】
0005844497.tif 000002
【図２】
0005844497.tif 000003
【図３（ａ）】
0005844497.tif 000004
【図３（ｂ）】
0005844497.tif 000005
【図４（ａ）】
0005844497.tif 000006
【図４（ｂ）】
0005844497.tif 000007
【図５】
0005844497.tif 000008
【図６（ａ）】
0005844497.tif 000009
【図６（ｂ）】
0005844497.tif 000010
【図７】
0005844497.tif 000011
【図８】
0005844497.tif 000012